(57)【特許請求の範囲】
【請求項１】
光源と、
前記光源から発せられた光を記録媒体上に収束させる対物レンズと、
前記対物レンズを保持するレンズホルダと、
ピックアップケースに対して前記レンズホルダを片持ち支持すべく、一端が前記レンズホルダと連結され、他端が前記ピックアップケースに連結される支持手段とを備えたピックアップにおいて、
前記対物レンズの一部と前記レンズホルダの一部とは、前記対物レンズの光軸の傾きを調整可能とすべく、相対的に摺動可能とされ、
前記レンズホルダには、下端部に製造冶具のピンが当接して前記レンズホルダを前記ピックアップケースに対して水平に支持可能な当接部が設けられ、上端部に該レンズホルダの傾き測定用基準面が設けられ、
前記ピックアップケースの前記レンズホルダ下方側には、前記製造冶具のピンが挿通する挿通穴が穿設されていることを特徴とするピックアップ。
【請求項２】
前記対物レンズには、傾き調整用の光反射面が設けられていることを特徴とする請求項１に記載のピックアップ。
【請求項３】
光源と、前記光源から発せられた光を記録媒体上に収束させる対物レンズと、前記対物レンズを保持するレンズホルダと、ピックアップケースに対して前記レンズホルダを片持ち支持すべく、一端が前記レンズホルダと連結され、他端が前記ピックアップケースに連結される支持手段とを備え、前記ピックアップケースの前記レンズホルダ下方側には、製造冶具のピンが挿通する挿通穴が穿設されているピックアップの光軸調整方法であって、
前記レンズホルダの上端部に設けられる傾き測定用基準面によって前記支持手段に対する前記レンズホルダの傾き成分を測定する工程と、
前記レンズホルダの下端部に設けられる当接部に前記挿通穴に挿通された前記製造治具のピンを当接させて、前記レンズホルダを前記ピックアップケースに対して水平に支持する工程と、
該工程による水平支持状態で、前記レンズホルダに搭載する前記対物レンズの光軸調整を行う工程とを有し、
前記対物レンズの収差補正に係る固有の目標角度成分から前記レンズホルダの傾き成分を差し引いた角度成分を調整目標として、前記対物レンズの光軸調整を行うことを特徴とするピックアップの光軸調整方法。
【請求項４】
前記目標角度成分は、予め測定されて記憶手段に記憶されることを特徴とする請求項３に記載のピックアップの光軸調整方法。
【請求項５】
前記レンズホルダの傾き成分を測定する工程は、前記傾き測定用基準面にダミーレンズを搭載して、該ダミーレンズの上面に測定用レーザ光を照射することによって行うことを特徴とする請求項３又は４に記載のピックアップの光軸調整方法。
【請求項６】
前記対物レンズの光軸調整を行う工程は、前記対物レンズに設けた傾き調整用の光反射面に測定用レーザ光を照射することによって行うことを特徴とする請求項３〜５のいずれかに記載のピックアップの光軸調整方法。
【発明の詳細な説明】
【０００１】
【発明の属する技術分野】
本発明は、情報記録媒体再生装置に搭載されるピックアップに関し、詳しくはＣＤ（Compact Disk），ＤＶＤ（Digital Video Disk,Digital Versatile Disk）などの情報記録媒体への情報記録、または情報記録媒体からの情報読み取りを行うピックアップに関係するものである。
【０００２】
【従来の技術】
通常、情報記録媒体再生装置に搭載されるピックアップには、情報記録媒体に光学的に記録されている情報を正確に読み取ったり、或いは記録したい情報を情報記録媒体に書き込んだりするために、光源としての半導体レーザから放射された光ビームを情報記録媒体の情報記録面上に結像させるための対物レンズの光軸を、情報記録媒体の記録面に対して適切な角度となるようにする必要がある。
そのため、ピックアップには、対物レンズの光軸の傾きをラジアル方向およびタンジェンシャル方向の２方向に位置調整を行うためのスキュー調整機構が備えられている。
【０００３】
図８は、従来のスキュー調整機構を備えたピックアップＰＵ１の一構成例を示す側面図である。ピックアップＰＵ１は、対物レンズ１が取り付けられたレンズホルダ２と、レンズホルダ２を４本の同一長さの平行な２軸サスペンション３によって片持ち支持するアクチュエータベース４と、アクチュエータベース４の傾き、つまり対物レンズ１の光軸の傾きをラジアル方向およびタンジェンシャル方向に位置調整を行うための複数の調整ネジ５と、アクチュエータベース４を相対的に摺動可能に支持するピックアップケース６と、ピックアップケース６を支承する一対のガイドシャフト８とから主に構成されている。
【０００４】
アクチュエータベース４下面側には、ピックアップケース６に形成された凹陥部６ａの周側面に対して摺動可能に支持されるように凸球面部４ａが形成されている。また、アクチュエータベース４の一端側（図中左端側）の所定位置には、ピックアップケース６を上下方向に挿通した２個の調整ネジ５（片方は図示略）と嵌合するネジ孔４ｂがそれぞれ穿設されている。さらに、アクチュエータベース４の他端側（図中右端側）とピックアップケース６との間には、アクチュエータベース４の他端側を下方に向けて付勢する付勢バネ７が介設されている。
【０００５】
これらの構成によるスキュー調整機構では、ピックアップケース６を挿通しアクチュエータベース４のネジ孔４ｂに嵌合している調整ネジ５を適宜回し込むことによって、対物レンズ１が挿着されたアクチュエータベース４の一端側を昇降調節する。そのようにして、ピックアップケース６に対してアクチュエータベース４の傾き、つまり対物レンズ１の光軸の傾きをラジアル方向およびタンジェンシャル方向に位置調整を行って、情報記録媒体の情報記録面に対して対物レンズ１の光軸が適切な角度をなすようにしていた。
【０００６】
【発明が解決しようとする課題】
ところが、このような従来のピックアップＰＵ１では、対物レンズ１のスキュー調整を行うためにアクチュエータベース４とピックアップケース６とを別体に製造しなければならず、しかも、調整ネジ５や付勢バネ７などをピックアップＰＵ１に組み込まなければならないために部品点数が多くなるので、ピックアップの大型化および製造コストの上昇を招くという問題があった。しかも、対物レンズ１を浮遊させた状態でアクチュエータベース４を所望の方向に偏倚させるスキュー調整は、熟練した作業者による手作業調整のために、製造工数がかかってしまうという問題もある。
【０００７】
そこで、この発明は、上述したような従来のピックアップが有している問題点を解決するためになされたものであって、ピックアップを構成する部品点数を削減してピックアップを小型化するとともに、スキュー調整工程を簡素化して作業者の負担を軽減させることが可能なピックアップを提供することを目的とする。
【０００８】
このような目的を達成するために本発明（請求項１）は、光源と、前記光源から発せられた光を記録媒体上に収束させる対物レンズと、前記対物レンズを保持するレンズホルダと、ピックアップケースに対して前記レンズホルダを片持ち支持すべく、一端が前記レンズホルダと連結され、他端が前記ピックアップケースに連結される支持手段とを備えたピックアップにおいて、前記対物レンズの一部と前記レンズホルダの一部とは、前記対物レンズの光軸の傾きを調整可能とすべく、相対的に摺動可能とされ、前記レンズホルダには、下端部に製造冶具のピンが当接して前記レンズホルダを前記ピックアップケースに対して水平に支持可能な当接部が設けられ、上端部に該レンズホルダの傾き測定用基準面が設けられ、前記ピックアップケースの前記レンズホルダ下方側には、前記製造冶具のピンが挿通する挿通穴が穿設されていることを特徴としている。
【０００９】
また、本発明（請求項３）は、光源と、前記光源から発せられた光を記録媒体上に収束させる対物レンズと、前記対物レンズを保持するレンズホルダと、ピックアップケースに対して前記レンズホルダを片持ち支持すべく、一端が前記レンズホルダと連結され、他端が前記ピックアップケースに連結される支持手段とを備え、前記ピックアップケースの前記レンズホルダ下方側には、製造冶具のピンが挿通する挿通穴が穿設されているピックアップの光軸調整方法であって、前記レンズホルダの上端部に設けられる傾き測定用基準面によって前記支持手段に対する前記レンズホルダの傾き成分を測定する工程と、前記レンズホルダの下端部に設けられる当接部に前記挿通穴に挿通された前記製造治具のピンを当接させて、前記レンズホルダを前記ピックアップケースに対して水平に支持する工程と、該工程による水平支持状態で、前記レンズホルダに搭載する前記対物レンズの光軸調整を行う工程とを有し、
前記対物レンズの収差補正に係る固有の目標角度成分から前記レンズホルダの傾き成分を差し引いた角度成分を調整目標として、前記対物レンズの光軸調整を行うことを特徴としている。
【００１１】
【発明の実施の形態】
以下、本発明を適用したピックアップの実施の形態について図１〜図４を参照して説明する。図１は、本実施形態に係るピックアップを一側方から見た側面図、図２は、レンズホルダの平面図、図３は、対物レンズの側断面図、図４は、レンズホルダの構成を説明する側断面図である。
ピックアップＰＵには、図１，図２に示すように、合成樹脂で成形されたピックアップケース１０およびレンズホルダ１１と、ピックアップケース１０とレンズホルダ１１との間を連結する４本の略同一の長さの金属性線状部材（ワイヤ、細長板バネなど）を略平行に配置した２軸サスペンション１２とが備えられている。
【００１２】
支持手段としての２軸サスペンション１２のそれぞれの一端は、レンズホルダ１１の所定位置の４隅と連結され、それぞれの他端は、ピックアップケース１０の一端側の所定位置の４隅に連結されている。これにより、ピックアップケース１０に対してレンズホルダ１１が浮遊した状態で片持ち支持されている。ピックアップケース１０とレンズホルダ１１との対向側面間には、一対のマグネット１３がレンズホルダ１１を挟んだ形態で対向配置されている（図２，図４に図示）。
【００１３】
２軸サスペンション１２によって支持されるレンズホルダ１１の上面側略中央の所定位置には、情報を読み書きする対物レンズ２０を摺動可能に収納配置するように凹形状の収納部２１が形成されている（図２，図４に図示）。この収納部２１の上周縁の相対向する４箇所には、収納部２１に対物レンズ２０を収納配置した際に両者の側面で形成される対向隙間に連通している注入孔２１ｅが画成されている（図２に図示）。
ところで、レンズホルダ１１の外周面には、フォーカスコイル２２ａおよびトラッキングコイル２２ｂからなる励磁コイル２２が巻設されている（図１、図２に図示）。
【００１４】
収納部２１の上周縁には、図４に示すように、同一水平面高さとなるように平滑に形成された上部基準面２１ａが形成されていて、ダミーレンズ２３の、側方に向かって張り出した外周縁部２３ａが載置されるようになっている。
ダミーレンズ２３は、ピックアップ１０の傾きを測定するためにレンズホルダ１１の収納部２１の上面側に仮配置されるものであって、ダミーレンズ２３の上端面および外周縁部２３ａの下面側には、水平方向に沿った平滑面が形成されているとともに、ダミーレンズ２３の重量は、対物レンズ２０の重量より若干軽量となるように設定されている。
【００１５】
収納部２１の内周面には、下方に向かって次第に狭窄されていく円錐面部２１ｂが形成されていて、収納部２１に対物レンズ２０を収納配置した際に、円錐面部２１ｂが対物レンズ２０の下面外周側に形成された球面部２０ｂ（図３に図示）を摺接支持するようになっている。なお、対物レンズ２０の上面には、平坦形状の光反射面２０ａが形成されている。
【００１６】
収納部２１の底部には、光軸を上下方向に挿通させるための所定径状を有した丸孔２１ｃが穿設されている。
収納部２１の下端面周縁の複数の所定位置（少なくとも３箇所、図４，図５，図７では２箇所のみ図示）には、同一水平面高さとなるように平滑に形成された下部基準面２１ｄが形成されている。この下部基準面２１ｄが、後述するスキュー調整装置２４の水平支持部２８の基準ピン２７（図５，図７に図示）によって強制的に当接支持されることによって、レンズホルダ１１が、後述するピックアップケース１０の基準面に対して傾き角度０度の水平状態で支持される。
【００１７】
ピックアップケース１０の一端側（図中左端側）には、情報記録媒体からの反射光を受光するための光学素子１４が配設されている。また、レンズホルダ１１の収納部２１の略直下位置にあたるピックアップケース１０には、光源としての半導体レーザ（図示略）から照射された光軸を９０度曲折させる反射ミラー１５が斜設されている（図１，図４に図示）。さらに、収納部２１の下部基準面２１ｄの略直下にあたるピックアップケース１０の所定位置には、レンズホルダ１１を下方から当接支持する基準ピン２７（図５，図７に図示）が挿通する所定径状の挿通孔１６が、少なくとも３箇所（図４中では２箇所だけ図示）上下方向に沿って穿設されている。
【００１８】
ピックアップケース１０の図１中における左右両端側には、所定径状のガイド穴１７とサブガイド１８とがそれぞれ形成されていて、これらが情報記録媒体再生装置のシャーシなどに設けられた一対の平行なガイドシャフト１９ならびにスキュー調整時には、後述するスキュー調整装置２４に設けられた一対の基準シャフト２６に支承されるようになっている。
ガイドシャフト１９は、ピックアップＰＵが情報記録媒体の情報記録面に対して情報を記録再生する際に移動する方向、つまり情報記録媒体の記録再生方向（径方向）と同一方向となるように配設されている。このことにより、ガイドシャフト１９の長手方向に沿ってピックアップケース１０、つまりピックアップＰＵを進退移動させることで、ピックアップＰＵが情報記録媒体の記録再生方向に進退移動させられて、情報記録媒体からの情報の読み取りや書き込みが行なわれる。
【００１９】
次に、レンズホルダ１１に収納配置された対物レンズ２０をスキュー調整するスキュー調整装置２４について図５〜図６を参照して説明する。図５は、ケーシングされたピックアップＰＵをスキュー調整装置２４に載置固定した状態を一側方側から見た側断面図、図６は、図５における対物レンズ２０の状態を示す平面図である。
【００２０】
図５に示すように、制御部（図示略）によって自動的にレンズホルダ１１の傾き測定を行い、手動で対物レンズ２０のスキュー調整を行うことができるように設定されているスキュー調整装置２４の基台２５には、ピックアップＰＵを載置固定する一対の基準シャフト２６が備えられていて、ピックアップケース１０のガイド穴１７およびサブガイド１８がそれぞれ挿通される。
一対の基準シャフト２６は、一対のガイドシャフト１９と略同一形態とされ、基台２５上において、ガイドシャフト１９にピックアップケース１０を挿着した状態を再現するものである。なお、一対の基準シャフト２６、或いは一対のガイドシャフト１９の軸心方向に沿った平面をピックアップケース１０の基準面（以下、ケース基準面という）とする。
【００２１】
基台２５内部の所定位置には、制御部により作動制御される水平支持部２８が昇降自在に格納配置されている。水平支持部２８の上面には、所定距離だけ上方に突出した基準ピン２７が複数（少なくとも３個、図５，図７では２個のみ図示）立設されていて、水平支持部２８が所定距離だけ上昇移動した際に、基準ピン２７の各先端がピックアップＰＵのレンズホルダ１１の下部基準面２１ｄに当接するとともに、サスペンションバネ１２に過度の負荷がかからないようにレンズホルダ１１をケース基準面に対して強制的に水平に支持するようになっている。
【００２２】
基台２５の上面の所定位置には、図５，図６に示すように、一対２組の調整レバー２９Ａ，２９Ｂ，３０Ａ，３０Ｂが、それぞれの延設方向が、対物レンズ２０の光軸上で略直交するように配置されている。図６中、左右方向に沿って延設されているのがタンジェンシャル調整部の調整レバー２９Ａ，２９Ｂであり、同図中、上下方向に沿って延設されているのが、ラジアル調整部の調整レバー３０Ａ，３０Ｂである。
タンジェンシャル調整部の調整レバー２９Ａ，２９Ｂの各先端部２９Ａ１，２９Ｂ１およびラジアル調整部の調整レバー３０Ａ，３０Ｂの各先端部３０Ａ１，３０Ｂ１は、レンズホルダ１１の係合部２１に収納配置された状態における対物レンズ２０の上面縁部と当接するように配置されている。
なお、タンジェンシャル調整部とラジアル調整部とは、スキュー調整装置２４に等しく交差して設けられるため、タンジェンシャル調整部側のみを主に説明する。
【００２３】
調整レバー２９Ｂの後端部２９Ｂ２側は、図５に示すように、基台２５上に立設された支持部３１の支点３２によって搖動自在に軸支されている。調整レバー２９Ｂと基台２５との間には、付勢バネ３３が介設されていて、所定付勢力によって先端部２９Ｂ１を下方に向けて常時付勢している。
【００２４】
調整レバー２９Ａは、延設方向の略中間位置で基台２５に立設された支持部３４の支点３５によって搖動自在に軸支されている。調整レバー２９Ａの後端部２９Ａ２側と基台２５との間には、後端部２９Ａ２を下方に向けて付勢する付勢バネ３６が介設されるとともに、後端部２９Ａ２を昇降作用させる調整スクリュー３７の先端が後端部２９Ａ２の下面側に摺動可能に当接している。
そのことにより、付勢バネ３６によって下方に付勢される後端部２９Ａ２に対して、調整スクリュー３７を適宜昇降作用させることにより、後端部２９Ａ２と相対的な位置関係にある先端部２９Ａ１の昇降調節がなされる。
したがって、調整スクリュー３７の昇降作用によって調整レバー２９Ａの先端部２９Ａ１の付勢力と調整レバー２９Ｂの先端部２９Ｂ１の付勢力とが、レンズホルダ１１の収納部２１に摺動自在に収納配置された状態の対物レンズ２０を介して相対的に可変調節されることになるので、対物レンズ２０のタンジェンシャル傾き調整を行うことができる。
【００２５】
ラジアル調整部の調整レバー３０Ａ，３０Ｂにも、上述したタンジェンシャル調整部の調整レバー２９Ａ，２９Ｂと同形態からなるラジアル傾き調整用の機構が備えられているものである。したがって、ラジアル調整部の調整スクリュー（図示略）の昇降作用によって調整レバー３０Ａの先端部３０Ａ１の付勢力と調整レバー３０Ｂの先端部３０Ｂ１の付勢力とが、レンズホルダ１１の収納部２１に摺動自在に収納配置された状態の対物レンズ２０を介して相対的に可変調節されることになるので、対物レンズ２０のラジアル傾き調整を行うことができる。
【００２６】
次に、スキュー調整装置２４を用いた対物レンズ２０のスキュー調整の概要について説明する。
情報記録媒体再生装置にピックアップＰＵを搭載した際に、ピックアップケース１０に挿通される一対のガイドシャフト１９の軸心方向に沿ったピックアップケース１０の基準面に対して、対物レンズ２０の固有のスキュー目標角度成分（Ｒ１，Ｔ１）だけ傾けて、情報記録媒体からの情報記録再生時に収差が発生しないようにスキュー調整を行う必要がある。
ここで、対物レンズ２０の同一成形ロットは、すべて同一のスキュー目標角度成分（Ｒ１，Ｔ１）となる性質を利用して、予め抜き取り調査で対物レンズ２０のスキュー目標角度成分（Ｒ１，Ｔ１）を測定しておく。
ところで、ピックアップＰＵのレンズホルダ１１には、レンズホルダ１１を片持ち支持している２軸サスペンション１２自体の反りやピックアップＰＵ組立時の残留応力などによって、ケース基準面に対してアクチュエータ傾き角度成分（Ｒ２，Ｔ２）からなる傾斜角度を有している。なお、このアクチュエータ傾きは、個々のピックアップＰＵで異なっており、ばらつきのある値である。
したがって、レンズホルダ１１をケース基準面に対して基準ピン２７により強制的に水平状態に支持すれば、アクチュエータ傾き、つまりレンズホルダ１１の傾きは見掛け上補正されることになるので、水平状態のレンズホルダ１１に収納配置された際の対物レンズ２０の光反射面２０ａの傾きは、スキュー目標角度成分（Ｒ１，Ｔ１）からアクチュエータ傾き角度成分（Ｒ２，Ｔ２）を差し引いた角度成分（Ｒ１−Ｒ２，Ｔ１−Ｔ２）を調整目標値とすればよいことになる。
なお、（Ｒｎ，Ｔｎ）は、ラジアル方向およびタンジェンシャル方向の角度成分を表すものとする。
【００２７】
次に、上述したスキュー調整の概要に基づき、スキュー調整装置２４を用いた対物レンズ２０のスキュー調節について図７を参照して説明する。図７は、スキュー調整装置２４を用いた対物レンズ２０のスキュー調節を説明する概略図である。
まず、ピックアップＰＵのアクチュエータの対物レンズ２０の同一成形ロットは、すべて同一のスキュー目標角度成分（Ｒ１，Ｔ１）となるから、予め抜き取り調査で対物レンズ２０のスキュー目標角度成分（Ｒ１，Ｔ１）を測定し、スキュー調整装置２４の制御部のメモリ４２に記憶格納されるとともに、表示部４３に画面表示される。
【００２８】
次に、ケース基準面に対するアクチュエータ傾き角度成分を測定する。
スキュー調整装置２４の調整レバー２９Ａ〜３０Ｂの各先端部２９Ａ１〜３０Ｂ１は、図示しない駆動手段によって上方に向かって跳ね上げられた状態とし、水平支持部２８は、待機状態となるように下降作動させておく。
対物レンズ２０、或いはダミーレンズ２３が未着装状態のピックアップケース１０を、基準シャフト２６によって基台２５上の所定位置に載置固定する。
【００２９】
レンズホルダ１１の収納部２１の上部基準面２１ａに、ダミーレンズ２３を載置する。すると、ダミーレンズ２３の重量が掛かった２軸サスペンション１２が撓み、釣り合いがとれた時点で静止状態となる。その静止状態において、ダミーレンズ２３の上面に対してレーザーダイオード３８から測定用レーザ光を所定角度を設けて照射して反射させることにより、ケース基準面に対してピックアップケース１０の傾き、つまりアクチュエータ傾きが測定される。このアクチュエータ傾き測定結果は、スキュー調整装置２４の制御部のＣＣＤセンサ（Charge Coupled Device Sensor）３９により、ラジアル方向とタンジェンシャル方向との成分（Ｒ２，Ｔ２）が読み取られる。その読み取られたデータは、記憶部４０に記憶格納されるとともに、表示部４１に画面表示される。アクチュエータ傾き測定が終了したダミーレンズ２３は、レンズホルダ１１から取り除かれる。
【００３０】
次に、スキュー目標角度成分（Ｒ１，Ｔ１）とアクチュエータ傾き角度成分（Ｒ２，Ｔ２）とに基づいて、レンズホルダ１１の収納部２１に収納配置される対物レンズ２０の角度調節を行う。
制御部によって待機状態の水平支持部２８を上昇作動させると、基準ピン２７の各先端がピックアップケース１０の挿通孔１６を挿通して、レンズホルダ１１の下部基準面２１ｄに当接する。なおも水平支持部２８が若干上昇作動することによって、レンズホルダ１１、つまりアクチュエータ傾きが、見掛け上０、すなわちケース基準面に対して強制的に水平状態となるように保持される。
【００３１】
ダミーレンズ２３が取り除かれた状態のレンズホルダ１１の収納部２１に対物レンズ２０を挿入する。その状態で対物レンズ２０の光反射面２０ａに対してレーザーダイオード３８から測定用レーザ光を所定角度を設けて照射して、光反射面２０ａから反射した戻り光を２軸チャート４４上に表示させる。
メモリ４０に記憶格納されているスキュー目標角度成分（Ｒ１，Ｔ１）とメモリ４２に記憶格納されているアクチュエータ傾き角度成分（Ｒ２，Ｔ２）とに基づいて算出処理された調整目標値成分（Ｒ１−Ｒ２，Ｔ１−Ｔ２）が２軸可動チャート４４の原点（０，０）となるように、２軸可動チャート４４をX-Y軸方向にスライド移動させるタンジェンシャル調整用ステッピングモータ４５およびラジアル調整用ステッピングモータ４６とによって、予め移動調整がなされる。
このことにより、対物レンズ２０からの戻り光が、２軸可動チャート４４の原点（０，０）に位置したときに、見掛け上、ケース基準面に対する対物レンズ２０の反射光面２０ａの傾き角度が、所望のスキュー目標角度成分（Ｒ１，Ｔ１）に調整されたことと等価とされるようになる。
【００３２】
その状態で、調整レバー２９Ａ〜３０Ｂの各先端部２９Ａ１〜３０Ｂ１を下方に向かって移行させ、対物レンズ２０の上面縁側に所定付勢力を付勢するように摺接させる。それから、対物レンズ２０からの戻り光が２軸可動チャート４４の原点（０，０）にくるように、作業者が手動にてタンジェンシャル調整部の調整スクリュー３７およびラジアル調整部の調整スクリューの昇降作用を行い、対物レンズ２０のタンジェンシャル傾き調整およびラジアル傾き調整、つまりスキュー調整を行う。
なお、作業者が毎回調整目標値を変える必要がないように、個々のレンズホルダの固有のアクチュエータ傾きに応じて、毎回自動的にタンジェンシャル調整用ステッピングモータ４５およびラジアル調整用ステッピングモータ４６とが２軸可動チャート４４をX-Y軸方向にスライド移動調整を行い、作業者はいつも２軸可動チャート４４の原点に対物レンズ２０からの戻り光が戻るように対物レンズのスキュー調節するようになっている。
【００３３】
そして、作業者が、各調整スクリューの昇降調整作業を行って対物レンズ２０からの戻り光を２軸可動チャート４４の原点（０，０）に位置させると、調整レバー２９Ａ〜３０Ｂの各先端部２９Ａ１〜３０Ｂ１で対物レンズ２０を保持したままの状態で、可動ノズル４７を収納部２１の注入孔２１ｅの略直上に位置させる。それから、可動ノズル４７の先端から紫外線硬化型接着剤が注入孔２１ｅに対して所定量だけ注入されて、収納部２１と対物レンズ２０との間の対向隙間に充填される。そして、ノズル４７を退避移動させた後に、収納部２１および対物レンズ２０に紫外線を照射して、収納部２１と対物レンズ２０とを結合させる。
【００３４】
紫外線硬化型接着剤が完全に硬化したら、対物レンズ２０から調整レバー２９Ａ〜３０Ｂの各先端部２９Ａ１〜３０Ｂ１を離脱させるとともに、レンズホルダ１１から水平支持部２８を離脱させる。
２軸サスペンション１２によって片持ち支持されたレンズホルダ１１に結合された対物レンズ２０の光反射面２０ａに対して、レーザーダイオード３８から測定用レーザ光を所定角度を設けて照射して対物レンズ２０から反射させることにより、レンズホルダ１１に結合された状態の対物レンズ２０の傾きを測定し、その測定値とスキュー目標角度成分（Ｒ１，Ｔ１）と比較することによって、対物レンズ２０のスキュー調整が正確に調整されたかどうかを確認する。基準値に適合していたなら、対物レンズ２０のスキュー調整は終了される。
【００３５】
なお、本実施形態においては、対物レンズ２０の下面外周側が球面形状、レンズホルダ１１の収納部２１に円錐面部２１ｂが形成されるようなスキュー調整摺動部位が構成されているが、これに限定されるものではなく、対物レンズ２０に球面形状とレンズホルダ１１に球面形状とが形成された組合せ、または、対物レンズ２０に球面形状とレンズホルダ１１に少なくても３個の接合斜面とが形成された組合せ、さらにまた、対物レンズ２０に所定半径面とレンズホルダ１１に球面形状とが形成された組合せ、等によって構成されてもよい。
【００３６】
また、本実施形態では、接着剤として紫外線硬化型接着剤を用いたが、他の硬化型接着剤として、例えば熱可塑性の接着剤を用いてもよい。
【００３７】
【発明の効果】
以上説明したように、本発明によるピックアップによれば、対物レンズとレンズホルダとを摺動可能に保持させた構成により、強制的に水平支持したレンズホルダに対して対物レンズのみを偏倚させることができるので、スキュー調整を容易に行うことができる。さらに、ピックアップケースとアクチュエータベースとを一体的に形成し、２軸サスペンションをピックアップケースに直接固定支持させたピックアップ構成とすることができるので、従来のピックアップのように付勢バネや調整ネジなどのスキュー調整機構をピックアップに組み込む必要がなくなり、部品点数を削減するとともにピックアップを小型化することが可能となる。
また、ピックアップに搭載される対物レンズのスキュー調整を行う際に、対物レンズ固有のスキュー目標角度を測定するとともに、ダミーレンズを載置してアクチュエータ傾き角度を測定し、それらの測定値に基づいて強制的に水平状態に支持されたレンズホルダに収納配置された対物レンズのスキュー調整を作業者が２軸可動チャートの原点に対物レンズからの反射光を位置させればよいので、容易に調整目標値に一致させることができて測定ミスを防止し、高精度のスキュー調整がなしえることができ、作業者の負担を軽減させるとともに製造工程数の削減が可能となる。
【図面の簡単な説明】
【図１】本実施形態に係るピックアップを一側方から見た側面図である。
【図２】レンズホルダの平面図である。
【図３】対物レンズの側断面図である。
【図４】レンズホルダの構成を説明する側断面図である。
【図５】ケーシングされたピックアップをスキュー調整装置に載置固定した状態を一側方側から見た側断面図である。
【図６】図５における対物レンズの状態を示す平面図である。
【図７】スキュー調整装置を用いた対物レンズのスキュー調節を説明する概略図である。
【図８】従来のスキュー調整機構を備えたピックアップの一構成例を示す側面図である。
【符号の説明】
ＰＵ    ピックアップ
１０    ピックアップケース
１１    レンズホルダ
１２    ２軸サスペンション
１６    挿通孔
２０    対物レンズ
２０ｂ  球面部
２１    収納部
２１ａ  上部基準面
２１ｂ  円錐面部
２１ｄ  下部基準面
２４    スキュー調整装置
２９Ａ，Ｂ    タンジェンシャル調整レバー
３０Ａ，Ｂ    ラジアル調整レバー
３７    調整スクリュー
【図１】
0003881146.tif 000002
【図２】
0003881146.tif 000003
【図３】
0003881146.tif 000004
【図４】
0003881146.tif 000005
【図５】
0003881146.tif 000006
【図６】
0003881146.tif 000007
【図７】
0003881146.tif 000008
【図８】
0003881146.tif 000009